(57)【要約】【課題】  パケット、特にたばこのパケットを製造する方法および包装材シート、ならびに製造されたパケットに関する。【解決手段】  二成分接着剤の第一成分および第二成分を包装材シートの少なくとも二つの異なる部分上に付与し、次いで前記包装材シートを、一群のたばこを含む内パケットの周りに折り畳み、折り畳み時に二成分接着剤の第一成分と第二成分とを接触させて二成分接着剤を活性化させることを特徴とする。【選択図】      図２
2005206252.tif 000002
【特許請求の範囲】
【請求項１】
包装材シート（９）を使用してパケットを製造する方法であって、前記包装材シートが二成分接着剤による第一成分を有する少なくとも一つの第一部（２７）を含み、前記方法が前記二成分接着剤の第二成分を第一成分に接触させる接触工程を含み、それにより前記二成分接着剤の第一成分と第二成分を相互作用させて前記二成分接着剤を活性化させることを特徴とする方法。
【請求項２】
前記接触工程において、前記二成分接着剤の第二成分を第一成分上に付与する、請求項１に記載の方法。
【請求項３】
前記二成分接着剤の第二成分はスプレイ装置によって第一成分上に付与される、請求項２に記載の方法。
【請求項４】
前記二成分接着剤の第二成分は塗布ローラによって第一成分上に付与される、請求項２に記載の方法。
【請求項５】
前記包装材シート（９）の少なくとも一つの第二部（３０）上に前記二成分接着剤の第二成分を付与する付与工程を含み、前記第一部（２７）および第二部（３０）は前記包装材シート（９）の二つの分離した部分である、請求項１に記載の方法。
【請求項６】
前記包装材シート（９）は前記二成分接着剤の第二成分を有する少なくとも一つの第二部（３０）を含み、前記第一部（２７）および前記第二部（３０）は前記包装材シートの二つの分離した部分である、請求項１に記載の方法。
【請求項７】
前記包装材シート（９）を折り畳んで折り畳んだラッピング（１０）を形成する折り畳み工程を含み、前記折り畳み工程において、前記第一部（２７）および前記第二部（３０）を重合して前記二成分接着剤の第一成分と第二成分とを接触させる、請求項５または６に記載の方法。
【請求項８】
前記第一部（２７）および前記第二部（３０）を同一面（９ａ）上に相互に実質的に隣接させて位置決めし、前記二成分接着剤の第一成分および第二成分を加圧して、前記二成分接着剤の第一成分および第二成分を前記同一面（９ａ）上に拡散して相互に接触させる、請求項５または６に記載の方法。
【請求項９】
前記二成分接着剤の第一成分は、
一群のモノマー、および
前記モノマーの重合を触媒する触媒から選択される物質を含み、
前記二成分接着剤の第二成分は、
一群のモノマー、および
前記モノマーの重合を触媒する触媒から選択される物質を含み、
前記二成分接着剤の第一成分が一群のモノマーを含み、前記二成分接着剤の第二成分が前記触媒を含み、かつ前記二成分接着剤の第一成分が前記触媒を含み、
前記二成分接着剤の第二成分が一群のモノマーを含む、請求項１から８のいずれか１に記載の方法。
【請求項１０】
前記モノマーが選択され、かつ前記包装材シート（９）に付与された後少なくとも１０分間で重合するように処理される、請求項９に記載の方法。
【請求項１１】
前記モノマーおよび前記触媒が選択され、かつ前記二成分接着剤の重合、即ち活性化が前記二成分接着剤の第一成分および第二成分が相互に接触した後に周囲温度で４０秒以内に完了するように処理される、請求項９に記載の方法。
【請求項１２】
前記一群のモノマーおよび／または前記触媒が水溶液形態で前記包装材シート（９）に付与される、請求項９から１１のいずれか１に記載の方法。
【請求項１３】
前記包装材シート（９）を折り畳んで折り畳んだラッピング（１０）を形成する折り畳み工程を含む、請求項１から１２のいずれか１に記載の方法。
【請求項１４】
パケットを製造するための包装材シートであって、前記包装材シート（９）は二成分接着剤の第一成分を有する第一部（２７）を含むことを特徴とする、包装材シート。
【請求項１５】
前記二成分接着剤の第二成分を有する第二部（３０）を含み、前記第一部（２７）および前記第二部（３０）は前記包装材シート（９）の二つの分離した部分であり、前記二成分接着剤の第一成分と第二成分は相互作用して前記二成分接着剤が活性化している、請求項１４に記載の包装材シート。
【請求項１６】
前記第一部（２７）および第二部（３０）は実質的に隣接していて、前記二成分接着剤の第一成分および第二成分は使用時に前記包装材シート（９）を折り畳むときの圧力下で重合し、拡散して相互に接触している、請求項１５に記載の包装材シート。
【請求項１７】
前記第一部（２７）および前記第二部（３０）は、前記包装材シート（９）を使用時に折り畳むときに重合して前記二成分接着剤の第一成分と第二成分とが接触するように位置決めされている、請求項１５に記載の包装材シート。
【請求項１８】
前記二成分接着剤の第一成分は、
一群のモノマー、および
前記モノマーの重合を触媒する触媒から選択された物質を含み、
前記二成分接着剤の第二成分は、
一群のモノマー、および
前記モノマーの重合を触媒する触媒から選択された物質を含み、
前記二成分接着剤の第一成分が前記モノマーを含み、前記二成分接着剤の第二成分が前記触媒を含み、かつ前記二成分接着剤の第一成分が前記触媒を含み、前記二成分接着剤の第二成分が前記モノマーを含む、請求項１４から１７のいずれか１に記載の包装材シート。
【請求項１９】
前記モノマーが選択され、かつ前記包装材シート（９）に付与された後少なくとも１０分間で重合するように処理されている、請求項１８に記載の包装材シート。
【請求項２０】
前記モノマーおよび前記触媒が選択され、かつ前記二成分接着剤の重合、即ち活性化が周囲温度で４０秒以内に完了するように処理されている、請求項１８または１９に記載の包装材シート。
【請求項２１】
包装材シート（９）を含む請求項１から１３のいずれか１による方法によって製造されるパケットであって、前記包装材シート（９）が活性化した二成分接着剤の粘着部（１５，１６）を含むことを特徴とするパケット。
【請求項２２】
前記包装材シート（９）が折り畳まれて折り畳んだラッピング（１０）を形成し、前記粘着部（１５，１６）が前記折り畳んだラッピング（１０）を安定化している、請求項２１に記載のパケット。
【発明の詳細な説明】
【技術分野】
【０００１】
本発明はパケットを製造するための方法および包装材シート、ならびにその方法により製造されたパケットに関する。
【０００２】
本発明は、たばこを包装するために有利に使用でき、続く説明は単に例示として記載されている。
【背景技術】
【０００３】
たばこの包装において、『溶解性』接着剤（例えば、ビニール樹脂ベースの接着剤）は包装材シートの一定領域上に付与され、かつ包装材シートは一群のたばこの周りに折り畳まれてたばこの包装を形成し、包装は接着剤の接着作用により完成形態で安定化される。
【０００４】
『溶解性』接着剤が一旦塗布されると、比較的短い時間で活性化するので、相当な注意が必要である。従って、パケット製造において、粘着装置は包装材シートの折り畳みを可能にする折り畳み装置から直ぐの上流に設置される必要があり、かつ溶剤の蒸発により接着剤が乾燥する前に接着剤を使用する必要がある。
【０００５】
かかる構造的制限は、たばこのパケットを製造する機械の単純化、費用および柔軟性にマイナス効果を及ぼすことは明らかである。更に、数秒間で機械が停止する場合に、接着剤が既に塗布されているが未だ正確に折り畳まれていない包装材シートは、各群のたばこと共に拒絶され、かかる廃棄によって製造コストを高騰させる。
【０００６】
たばこの包装において、包装材シートの所定領域にホットメルト接着剤が塗布されることは知られている。包装材シートは一群のたばこの周りに折り畳まれる。続いて、接着剤が塗布された領域で包装材シートの外面に加熱プレートを接触させることによって接着剤を溶融させる。
【０００７】
接着剤を溶融するときに、パケット内側のたばこ、そして包装材シートの所定領域（特に印刷領域）は、加熱プレートと包装材シート間の直接接触によって損傷を受ける。そのように、加熱プレートはたばこのパケット製造機械の単純化、費用および容易使用にマイナス効果を及ぼす。
【０００８】
たばこの包装における加熱溶融問題は、国税収入印紙、頚章（collars）、および優待券（coupons）により形成される包装材シートにも該当する。
【発明の開示】
【発明が解決しようとする課題】
【０００９】
本発明の課題は、上述の欠点を解消し、かつ同時に実施が廉価かつ容易な設計のパケットを製造する方法を提供することにある。
【課題を解決するための手段】
【００１０】
本発明による、包装材シートを使用してパケットを製造する方法は、前記包装材シートが二成分接着剤による第一成分を有する少なくとも一つの第一部を含み、前記方法が前記二成分接着剤の第二成分を第一成分に接触させる接触工程を含み、それにより前記二成分接着剤の第一成分と第二成分を相互作用させて前記二成分接着剤を活性化させることを特徴とする。
【００１１】
好適方法によれば、前記接触工程において、前記二成分接着剤の第二成分を第一成分上に付与する。
【００１２】
好適方法によれば、前記二成分接着剤の第二成分はスプレイ装置によって第一成分上に付与される。
【００１３】
好適方法によれば、前記二成分接着剤の第二成分は塗布ローラによって第一成分上に付与される。
【００１４】
好適方法によれば、前記包装材シートの少なくとも一つの第二部上に前記二成分接着剤の第二成分を付与する付与工程を含み、前記第一部および第二部は前記包装材シートの二つの分離した部分である。
【００１５】
好適方法によれば、前記包装材シートは前記二成分接着剤の第二成分を有する少なくとも一つの第二部を含み、前記第一部および前記第二部は前記包装材シートの二つの分離した部分である。
【００１６】
好適方法によれば、前記包装材シートを折り畳んで折り畳んだラッピングを形成する折り畳み工程を含み、前記折り畳み工程において、前記第一部および前記第二部を重合して前記二成分接着剤の第一成分と第二成分とを接触させる。
【００１７】
好適方法によれば、前記第一部および前記第二部を同一面上に相互に実質的に隣接させて位置決めし、前記二成分接着剤の第一成分および第二成分を加圧して、前記二成分接着剤の第一成分および第二成分を前記同一面上に拡散して相互に接触させる。
【００１８】
好適方法によれば、前記二成分接着剤の第一成分は、一群のモノマー、および前記モノマーの重合を触媒する触媒から選択される物質を含み、前記二成分接着剤の第二成分は、一群のモノマー、および前記モノマーの重合を触媒する触媒から選択される物質を含み、前記二成分接着剤の第一成分が一群のモノマーを含み、前記二成分接着剤の第二成分が前記触媒を含み、かつ前記二成分接着剤の第一成分が前記触媒を含み、前記二成分接着剤の第二成分が一群のモノマーを含む。
【００１９】
好適方法によれば、前記一群のモノマーが選択され、かつ前記包装材シートに付与された後少なくとも１０分間で重合するように処理される。
【００２０】
好適方法によれば、前記一群のモノマーおよび前記触媒が選択され、かつ前記二成分接着剤の重合、即ち活性化が前記二成分接着剤の第一成分および第二成分が相互に接触した後に周囲温度で４０秒以内に完了するように処理される。
【００２１】
好適方法によれば、前記一群のモノマーおよび／または前記触媒が水溶液形態で前記包装材シートに付与される。
【００２２】
好適方法によれば、前記包装材シートを折り畳んで折り畳んだラッピングを形成する折り畳み工程を含む。
【００２３】
本発明は、更に、パケットを製造するための包装材シートを提供し、前記包装材シートは二成分接着剤の第一成分を有する第一部を含むことを特徴とする。
【００２４】
好適形態による包装材シートは、前記二成分接着剤の第二成分を有する第二部を含み、前記第一部および前記第二部は前記包装材シートの二つの分離した部分であり、前記二成分接着剤の第一成分と第二成分とが相互作用して前記二成分接着剤が活性化している。
【００２５】
好適形態の包装材シートによれば、前記第一部および第二部は実質的に隣接していて、使用時に前記二成分接着剤の第一成分および第二成分は前記包装材シートを折り畳むときの圧力下で重合し、拡散して相互に接触している。
【００２６】
好適形態の包装材シートによれば、前記第一部および前記第二部は、使用時に前記包装材シートを折り畳むときに重合して前記二成分接着剤の第一成分と第二成分が接触するように位置決めされている。
【００２７】
好適形態の包装材シートによれば、前記二成分接着剤の第一成分は、一群のモノマー、および前記モノマーの重合を触媒する触媒から選択された物質を含み、前記二成分接着剤の第二成分は、一群のモノマー、および前記モノマーの重合を触媒する触媒から選択された物質を含み、前記二成分接着剤の第一成分が前記モノマーを含み、前記二成分接着剤の第二成分が前記触媒を含み、かつ前記二成分接着剤の第一成分が前記触媒を含み、前記二成分接着剤の第二成分が前記モノマーを含む。
【００２８】
好適形態の包装材シートによれば、前記モノマーが選択され、かつ前記包装材シートに付与された後少なくとも１０分間で重合するように処理されている。
【００２９】
好適形態の包装材シートによれば、前記モノマーおよび前記触媒が選択され、かつ前記二成分接着剤の重合、即ち活性化が周囲温度で４０秒以内に完了するように処理されている。
【００３０】
本発明は、更に、前記包装材シートを使用するパケット製造方法によって製造されたパケットを提供し、本発明によるパケットは、前記包装材シートが活性化した二成分接着剤の粘着部を含むことを特徴とする。
【００３１】
好適形態のパケットによれば、前記包装材シートは折り畳まれて折り畳んだラッピングを形成し、前記粘着部が前記折り畳んだラッピングを安定化している。
【発明を実施するための最良の形態】
【００３２】
以下、添付図面を参照して本発明の幾つかの非制限的実施形態について説明する。
【００３３】
図１の参照番号１は、たばこの『ソフト』パケット２を製造するためのパケット製造機の全体を示す。
【００３４】
パケット２（図６）は内パケット４を形成するために既知一群のたばこ（図示せず）を包囲するフォイルラッピング３を含む。図２に更に明瞭に示されたように、内パケット４は実質的に矩形の平行六面体であり、二つの平行の主側面５、二つの平行の主側面５に垂直の二つの小側面６、二つの側面５，６に平行の長軸７、および長軸７に垂直の端面８を含む。
【００３５】
図２および６を参照すると、パケット２は包装材シート９からなり、包装材シート９は折り畳まれて折り畳んだラッピング１０を形成し内パケット４の一部を包囲する。折り畳んだラッピング１０は実質的にカップ形であり、かつ内パケット４の側面５を被覆する二つの主側壁１１を含む。二つの側壁１２，１３は内パケット４の側面６を被覆し、端壁１４が内パケット４の端面８の一つの上に重なる。折り畳んだラッピング１０は側壁１２上で複数の粘着部１５、端壁１４上で粘着部１６により安定化される。粘着部１５および１６は活性化した二成分接着剤を含む。
【００３６】
図２から６に示されたように、包装材シート９はフォイルラッピング３と接触する内面９ａを有し、かつ包装材シート９を内パケット４の周りに折り畳んだ後のパケット２の外部を形成する外面９ｂを有する。
【００３７】
図１を参照すると、パケット製造機１は移送ステーション１８へ内パケット４を供給するための既知コンベアホイール１７（線図で示されている）を含み、移送ステーションでは既知プッシュ部材（図示せず）が内パケット４を既知折り畳みホイール２０（線図で示されている）上の座１９へ移送する。折り畳みホイール２０は、移送ステーション１８で各包装材シート９と共に内パケット４を受け取り、内パケット４の周りに包装材シート９を折り畳んでパケット２を形成し、かつパケット２を出力ステーション２１へ給送する。
【００３８】
パケット製造機１は、更に、包装材シート９を二つの粘着ステーション２３および２４を介して移送ステーション１８へ供給する供給ユニット２２を含む。供給ユニット２２は粘着ステーション２３を介して包装材シート９を供給するためのコンベアローラ２５を含み、粘着ステーション２３では粘着装置２６が包装材シート９の外面９ｂの複数の部分２７（図２）上に二成分接着剤の第一成分を付与する。供給ユニット２２は、また、粘着ステーション２４へ包装材シート９を供給するための他のコンベアローラ２８を含み、粘着ステーション２９では粘着装置２９が包装材シート９の内面９ａの複数の部分３０（図２）上に二成分接着剤の第二成分を付与する。
【００３９】
粘着装置２６，２９は各々が、包装材シート９へ二成分接着剤のそれぞれの成分を塗布するために、アプリケータ３１，３２（例えば、スプレイまたは塗布装置）を含む。
【００４０】
実際の使用に際して、包装材シート９は、移送ステーション１８上に到達した後に、内パケット４がコンベアホイール１７から上折り畳みホイール２０上の座１９へ移送されるときに、内パケット４により遮断され、かつ内パケット４に受け取られ、かつ座１９の内側でＵ形（図３）に折り畳まれる。
【００４１】
図２から５は、内パケット４の周りに包装材シート９が折り畳まれる工程を示し、その間、内パケット４と包装材シート９は座１９の内側にある。重要なことは、図面から明らかなように、包装材シート９が内パケット４の周りに折り畳まれ、部分２７と３０が重合されて粘着部１５および１６が形成されることである。そのようにして二成分接着剤の第一成分と第二成分とを接触させ、かつ相互作用させて二成分接着剤を活性化させ、そのようにして接着機能を発揮させてパケット２を安定化せる。
【００４２】
図７の他の形態において、二成分接着剤の第一成分は包装材シート９の内面９ａの複数の部分３３上に付与され、かつ二成分接着剤の第二成分は内面９ａの複数の部分３４上に付与される。部分３３は部分３４に実質的に隣接し、そのようにして第一成分と第二成分が折り畳み工程で加圧されるときに、第一成分および第二成分は内面９ａ上に拡散し相互に接触して二成分接着剤を活性化させる。
【００４３】
図８は図７に示された包装材シート９を使用して製造されたパケット２ａを示し、パケットは活性化した二成分接着剤の粘着部３５により安定化されている。
【００４４】
好適には、二成分接着剤の第一成分（例えばエポキシ樹脂）は一群のモノマー（例えばエボキシ分子）を含み、かつ二成分接着剤の第二成分はモノマーの重合を触媒する触媒を含む。
【００４５】
他の形態において、触媒に加え、またはその代わりに、第二成分は、第一成分のモノマーを重合することにより生成されるポリマー鎖を架橋するための他の化合物（例えば、ポリアミド）を含む。
【００４６】
他の実施形態において、第一成分は触媒を含み、かつ第二成分は一群のモノマーを含む。
【００４７】
他の好適形態において、包装材シート９に適用後少なくとも数分間に重合を可能にするためにモノマーが選択されかつ処理される。モノマーおよび触媒は、二成分接着剤の重合、即ち活性化が、二成分が接触後に周囲温度で４０秒以内に完了するように選択されかつ処理され、かつモノマーおよび／または触媒は水を含有する溶液の形態で包装材シートに塗布される。
【００４８】
重要なことは、粘着ステーション２３および２４は折り畳みホイール２０から所定の距離に設置されてよく、かつパケット製造機１の停止時にも二成分接着剤の二成分が塗布された包装材シート９はほとんどの場合に拒絶される必要はない。
【００４９】
図示されていない他の形態において、パケット製造機１上の運転ユニットによって接着または活性化を必要とすることのない包装材シート９を装備したパケット製造機１を供給するために、二成分接着剤の二成分の両方（または一つ）は遠隔場所（例えば製紙工場）で包装材シート９に塗布されることができる。この機械はより一層単純、安価、かつ取り扱いが容易である。
【００５０】
図示されていない他の形態において、二成分接着剤の二つの成分はスプレイ装置または塗布ローラにより包装材シート９の同様部分へ付与される。この場合、接着剤は包装材シート９が折り畳まれる前に活性化され、かつ接着剤を活性化する煩瑣で、高価な加熱プレートを必要としない。
【００５１】
この形態は、また、パケット製造機１のコストおよび複雑さを削減するために提供される。
【００５２】
上述の説明および添付図面はたばこの『ソフト』パケットの製造に関するが、本発明は他のタイプのパケットの製造に適用でき、特に、円弧形または面取り縁を有する従来蝶番式蓋付きのパケット等のたばこのパケットの製造に応用できる。この場合、包装材シート９は硬質カードボードシートにより形成され、かつ予め形成した折り畳み線を有する。
【００５３】
本発明は、更に、包装材シート９が頚章、国税収入印紙、または優待券により形成される場合に有利に適用できる。かかる場合、二成分接着剤の二成分は、優待券（国税収入印紙または頚章）を一群のたばこを包装するためのブランクに適用する前に、優待券（国税収入印紙または頚章）の隣接した分離領域上に付与されてよい。更に、二成分接着剤の二成分は、優待券が付設されるときに拡散して相互に接触する。優待券（国税収入印紙または頚章）およびブランクは二成分接着剤の二成分を有するものであってよく、そのようにして二成分は、優待券が付設されるときに一方が他方に重合する。二成分接着剤の二成分は、また、ブランクの隣接する分離領域上に付与されてよく、優待券（国税収入印紙または頚章）は、二成分が拡散して相互に接触するように、かかる領域へ付設されてよい。
【図面の簡単な説明】
【００５４】
【図１】本発明による方法を実行するたばこのパケット製造機の詳細を示す概略斜視図である。
【図２】図１のたばこのパケット製造機による製造工程を示す。
【図３】図１のたばこのパケット製造機による製造工程を示す。
【図４】図１のたばこのパケット製造機による製造工程を示す。
【図５】図１のたばこのパケット製造機による製造工程を示す。
【図６】図１のたばこのパケット製造機により製造されたパケットを示す。
【図７】本発明の他の形態による包装材シートを示す。
【図８】図７の包装材シートを使用して製造したパケットを示す。
【符号の説明】
【００５５】
１    パケット製造機
２    ソフトパケット
３    フォイルラッピング
４    内パケット
５，６    側面
７    長軸
８    端面
９    包装材シート
１０    折り畳んだラッピング
１１    側壁
１５，１６    粘着部
１７    コンベアホイール
１８    移送ステーション
２０    折り畳みステーション
２２    供給ユニット
２３，２４    粘着ステーション
２６，２９    粘着装置
【図１】
2005206252.tif 000003
【図２】
2005206252.tif 000004
【図３】
2005206252.tif 000005
【図４】
2005206252.tif 000006
【図５】
2005206252.tif 000007
【図６】
2005206252.tif 000008
【図７】
2005206252.tif 000009
【図８】
2005206252.tif 000010